(57)【特許請求の範囲】
【請求項１】
操作者との間で紙幣を受け渡す入出部と、
前記紙幣を収納する収納庫と、
前記入出部より受け入れた又は排出すべき前記紙幣を搬送する複数の搬送路と、
前記複数の搬送路のうちオープン状態において開放される開放搬送路が形成され前記紙幣をガイドする搬送路開放ガイドと、
前記複数の搬送路のうち前記オープン状態において開放されない非開放搬送路が形成され前記紙幣をガイドする搬送路非開放ガイドと、
前記複数の搬送路の分岐部において、前記搬送路開放ガイド側に設けられ、前記紙幣の搬送方向を前記複数の搬送路の何れかへ切り替える切替器と
を有し、
前記非開放搬送路は、前記開放搬送路から前記切替器を介して前記収納庫と接続される搬送路であって、
前記搬送路開放ガイドと前記搬送路非開放ガイドとは互いに離隔可能に構成され、前記搬送路開放ガイドと前記搬送路非開放ガイドとが離隔して前記オープン状態になった際、前記切替器が前記非開放搬送路から離隔することにより、前記非開放搬送路が開放される
自動取引装置。
【請求項２】
前記搬送路を挟んで対向して配され、前記紙幣を挟持して回転することで該紙幣を搬送する複数のローラ
をさらに有し、
前記搬送路開放ガイドは、前記オープン状態において前記搬送路非開放ガイドよりも少ない個数のローラが設けられている
請求項１に記載の自動取引装置。
【請求項３】
前記搬送路開放ガイドは、固定された固定フレームに対し可動する可動フレームに設けられ、
前記搬送路非開放ガイドは、前記固定フレームに設けられている
請求項１に記載の自動取引装置。
【請求項４】
前記搬送路開放ガイドは、固定された固定フレームに設けられ、
前記搬送路非開放ガイドは、前記固定フレームに対し可動する可動フレームに設けられている
請求項１に記載の自動取引装置。
【請求項５】
前記複数の搬送路は、前記紙幣を２方向に分岐して搬送する分岐搬送路であり、
前記搬送路非開放ガイド及び前記搬送路開放ガイドは、前記分岐搬送路を形成するガイドの一部である
請求項１に記載の自動取引装置。
【請求項６】
前記複数の搬送路は、前記紙幣を３方向に分岐して搬送する三叉路状分岐搬送路であり、
前記搬送路非開放ガイド及び前記搬送路開放ガイドは、前記三叉路状分岐搬送路を形成するガイドの一部である
請求項１に記載の自動取引装置。
【請求項７】
前記複数の搬送路は、前記紙幣を３方向に分岐して搬送する三叉路状分岐搬送路であり、
前記搬送路非開放ガイドは、前記三叉路状分岐搬送路を形成するガイドの一部であり、
前記搬送路開放ガイドは、回転するドラムの外周面により構成され、前記三叉路状分岐搬送路を形成するガイドの一部である
請求項１に記載の自動取引装置。
【請求項８】
支点シャフトをさらに有し、該支点シャフトを軸にして前記搬送路開放ガイドが開放可能に構成されている
請求項１に記載の自動取引装置。
【請求項９】
前記紙幣を一時的に収納する一時保留部と、前記紙幣を搬送する搬送部に設けられた支点シャフトとをさらに有し、該支点シャフトを軸にして前記搬送路開放ガイドが開放可能に構成されており、前記開放搬送路は、前記入出部から前記一時保留部につながる搬送路の一部を含む
請求項１に記載の自動取引装置。
【発明の詳細な説明】
【技術分野】
【０００１】
本発明は自動取引装置に関し、例えば紙幣等の媒体を投入して所望の取引を行う現金自動取引装置（ＡＴＭ：Automatic Teller Machine）等に適用して好適なものである。
【背景技術】
【０００２】
従来、金融機関や店舗等で使用される現金自動取引装置等においては、顧客との取引内容に応じて、顧客に紙幣や硬貨等の現金を入金させ、また顧客へ現金を出金する。現金自動取引装置としては、顧客との間で紙幣の授受を行う入出金部と、投入された紙幣の金種及び真偽を鑑別すると共に紙幣の記番号を識別する鑑別部と、投入された紙幣を一時的に保留する一時保留部と、紙幣を搬送する搬送部と、金種毎に紙幣を格納する紙幣収納庫とを有するものがある。
【０００３】
このような現金自動取引装置には、搬送部に設けられた切替部においてブレードを回動させることにより、紙幣の搬送経路を切り替えるものが提案されている（例えば、特許文献１参照）。
【先行技術文献】
【特許文献】
【０００４】
【特許文献１】特開２０１３−２３３８４号公報
【発明の概要】
【発明が解決しようとする課題】
【０００５】
そのような現金自動取引装置は、切替部において紙幣が例えばブレードに引っかかり、紙幣が搬送路内に詰まってジャムが発生してしまう場合がある。このため、紙幣が詰まった際に、当該切替部から紙幣をより一層除去しやすくすることにより信頼性をより向上することが望まれている。
【０００６】
本発明は以上の点を考慮してなされたもので、信頼性を向上し得る自動取引装置を提案しようとするものである。
【課題を解決するための手段】
【０００７】
かかる課題を解決するため本発明の媒体搬送機構においては、紙葉状の媒体を搬送する複数の搬送路と、紙葉状の媒体を搬送する複数の搬送路と、複数の搬送路のうちオープン状態において開放される開放搬送路が形成され媒体をガイドする搬送路開放ガイドと、複数の搬送路のうちオープン状態において開放されない非開放搬送路が形成され媒体をガイドする搬送路非開放ガイドと、複数の搬送路の分岐部において、搬送路開放ガイド側に設けられ、媒体の搬送方向を複数の搬送路の何れかへ切り替える切替器とを設け、搬送路開放ガイドと搬送路非開放ガイドとは互いに離隔可能に構成され、搬送路開放ガイドと搬送路非開放ガイドとが離隔してオープン状態になった際、切替器が非開放搬送路から離隔するようにした。
【０００８】
また本発明の自動取引装置においては、操作者との間で紙幣を受け渡す入出部と、紙幣を収納する収納庫と、入出部より受け入れた又は排出すべき紙幣を搬送する複数の搬送路と、複数の搬送路のうちオープン状態において開放される開放搬送路が形成され紙幣をガイドする搬送路開放ガイドと、複数の搬送路のうちオープン状態において開放されない非開放搬送路が形成され紙幣をガイドする搬送路非開放ガイドと、複数の搬送路の分岐部において、搬送路開放ガイド側に設けられ、紙幣の搬送方向を複数の搬送路の何れかへ切り替える切替器とを設け、非開放搬送路は、開放搬送路から切替器を介して収納庫と接続される搬送路であって、搬送路開放ガイドと搬送路非開放ガイドとは互いに離隔可能に構成され、搬送路開放ガイドと搬送路非開放ガイドとが離隔してオープン状態になった際、切替器が非開放搬送路から離隔することにより、非開放搬送路が開放されるようにした。
【発明の効果】
【０００９】
本発明によれば、非開放搬送路と切替器との間に詰まった媒体を取り出させやすくすることができる。かくして本発明は、信頼性を向上し得る自動取引装置を実現できる。
【図面の簡単な説明】
【００１０】
【図１】現金自動取引装置の構成を示す斜視図である。
【図２】可動フレーム閉鎖状態における紙幣入出金機の構成を示す左側面図である。
【図３】搬送部の構成を示す左側面図である。
【図４】可動フレーム開放状態における紙幣入出金機の構成を示す左側面図である。
【図５】第１の実施の形態による可動フレーム閉鎖状態における切替部の構成（１）を示す左側面図である。
【図６】第１の実施の形態による可動フレーム閉鎖状態における切替部の構成（２）を示す左側面図である。
【図７】第１の実施の形態による可動フレーム開放状態における切替部の構成を示す左側面図である。
【図８】第２の実施の形態による可動フレーム閉鎖状態における切替部の構成を示す左側面図である。
【図９】第２の実施の形態による可動フレーム開放状態における切替部の構成を示す左側面図である。
【図１０】第３の実施の形態による可動フレーム閉鎖状態における切替部の構成（１）を示す左側面図である。
【図１１】第３の実施の形態による可動フレーム閉鎖状態における切替部の構成（２）を示す左側面図である。
【図１２】第３の実施の形態による可動フレーム閉鎖状態における切替部の構成（３）を示す左側面図である。
【図１３】第３の実施の形態による可動フレーム開放状態における切替部の構成を示す左側面図である。
【図１４】第４の実施の形態による可動フレーム閉鎖状態における切替部の構成（１）を示す左側面図である。
【図１５】第４の実施の形態による可動フレーム閉鎖状態における切替部の構成（２）を示す左側面図である。
【図１６】第４の実施の形態による可動フレーム閉鎖状態における切替部の構成（３）を示す左側面図である。
【図１７】第４の実施の形態による可動フレーム開放状態における切替部の構成を示す左側面図である。
【図１８】第５の実施の形態による可動フレーム開放状態における切替部の構成を示す左側面図である。
【図１９】第６の実施の形態による可動フレーム開放状態における切替部の構成を示す左側面図である。
【図２０】従来の可動フレーム閉鎖状態における切替部の構成を示す左側面図である。
【図２１】従来の可動フレーム開放状態における切替部の構成（１）を示す左側面図である。
【図２２】従来の可動フレーム開放状態における切替部の構成（２）を示す左側面図である。
【図２３】従来の可動フレーム開放状態における切替部の構成（３）を示す左側面図である。
【図２４】従来の可動フレーム開放状態における切替部の構成（４）を示す左側面図である。
【図２５】従来の可動フレーム開放状態における切替部の構成（５）を示す左側面図である。
【図２６】従来の可動フレーム開放状態における切替部の構成（６）を示す左側面図である。
【発明を実施するための形態】
【００１１】
以下、発明を実施するための形態（以下実施の形態とする）について、図面を用いて説明する。
【００１２】
［１．第１の実施の形態］
［１−１．現金自動取引装置の構成］
図１に外観を示すように、現金自動取引装置１は、箱状の筐体２を中心に構成されており、例えば金融機関等に設置され、顧客との間で入金取引や出金取引等の現金に関する取引を行う。筐体２は、その前側に顧客が対峙した状態で紙幣の投入やタッチパネルによる操作等をしやすい箇所に接客部３が設けられている。
【００１３】
接客部３は、カード入出口４、入出金口５、操作表示部６、テンキー７及びレシート発行口８が設けられており、顧客との間で現金や通帳等を直接やり取りすると共に、取引に関する情報の通知や操作指示の受付を行う。カード入出口４は、キャッシュカード等の各種カードが挿入又は排出される部分である。カード入出口４の奥側には、各種カードに磁気記録された口座番号等の読み取りを行うカード処理部（図示せず）が設けられている。入出金口５は、顧客が入金する紙幣が投入されると共に、顧客へ出金する紙幣が排出される部分である。また入出金口５は、シャッタを駆動することにより開放又は閉鎖する。操作表示部６は、取引に際して操作画面を表示するＬＣＤ（Liquid Crystal Display）と、取引の種類の選択、暗証番号や取引金額等を入力するタッチパネルとが一体化されている。テンキー７は、「０」〜「９」の数字等の入力を受け付ける物理的なキーであり、暗証番号や取引金額等の入力操作時に用いられる。レシート発行口８は、取引処理の終了時に取引内容等を印字したレシートを発行する部分である。因みにレシート発行口８の奥側には、レシートに取引内容等を印字するレシート処理部（図示せず）が設けられている。
【００１４】
筐体２内には、現金自動取引装置１全体を統括制御する主制御部９や、紙幣に関する種々の処理を行う紙幣入出金機１０等が設けられている。主制御部９は、図示しないＣＰＵ（Central Processing Unit）を中心に構成されており、ＲＯＭ（Read Only Memory）、ＲＡＭ（Random Access Memory）、ハードディスクドライブやフラッシュメモリ等でなる記憶部（図示せず）から所定のプログラムを読み出して実行することにより、各部を制御して入金取引や出金取引等の種々の処理を行う。
【００１５】
筐体２は、前面側若しくは後面側に、開閉可能な扉が設けられている。筐体２は、顧客との間で取引処理が行われる取引動作時の場合には扉を閉鎖することにより、現金自動取引装置１の内部を保護する。一方筐体２は、保守員や金融機関の行員等により保守作業が行われる保守作業時の場合には、必要に応じて扉を開放することにより、内部の各部に対する作業を容易に行わせ得る。以下では、現金自動取引装置１のうち顧客が対峙する側を前側とし、その反対を後側とし、当該前側に対峙した顧客から見て左、右、上及び下をそれぞれ左側、右側、上側及び下側として説明する。
【００１６】
［１−２．紙幣入出金機の構成］
紙幣入出金機１０は、図２に示すように箱状の入出金機筐体２３を中心に構成されており、内部に紙幣に関する種々の処理を行う複数の部分が組み込まれている。紙幣入出金機１０は、大きく分けて、上下方向のほぼ中央よりも上側部分を占める上部ブロック１０Ｕと、その下側部分を閉める下部ブロック１０Ｌとにより構成されている。
【００１７】
［１−２−１．上部ブロックの構成］
上部ブロック１０Ｕには、上部ユニット２１Ｕが設けられている。上部ユニット２１Ｕは、全体を統括制御する紙幣制御部１２と、顧客との間で紙幣を授受する入出金部１４と、紙幣を各部へ搬送する搬送部１５と、紙幣を鑑別する鑑別部１６と、紙幣を一時的に収納する一時保留部１７と、偽券と鑑別された紙幣を収納する偽券庫１８とにより構成されている。上部ユニット２１Ｕは、図４に示すように、入出金機筐体２３に対して図示しないスライドレールにより後方向へ引き出されるようになっている。また上部ユニット２１Ｕは、引き出された状態から入出金機筐体２３に対して前方向へ移動することにより収納されるように構成されている。すなわち、上部ユニット２１Ｕは、入出金機筐体２３に対して前後方向へ移動可能になっている。因みに図４において紙幣制御部１２は図示せず省略する。
【００１８】
紙幣制御部１２は、主制御部９と同様、図示しないＣＰＵを中心に構成されており、図示しないＲＯＭやフラッシュメモリ等から所定のプログラムを読み出して実行することにより、紙幣の搬送先を決定する処理や各部の動作を制御する処理等、種々の処理を行う。また紙幣制御部１２は、内部にＲＡＭ及びフラッシュメモリ等でなる記憶部１３を有しており、この記憶部１３に種々の情報を記憶させる。
【００１９】
入出金部１４は、上部ブロック１０Ｕ内における前側上部に位置している。この入出金部１４は、顧客から入金された紙幣及び顧客へ出金すべき紙幣を収容する収容器２２を内部に有しており、その上方をシャッタ１１により開閉し得るようになっている。収容器２２内には、複数の紙幣が紙面を前後方向に向けて集積された状態で、すなわち前後方向に沿って整列された状態で収容される。
【００２０】
図３に示すように搬送部１５は、上部ブロック１０Ｕ内における下端部分に、すなわち紙幣入出金機１０全体における上下のほぼ中央を前後方向に横切るように位置しており、全体的に上下方向に薄く前後方向に細長い形状となっている。この搬送部１５内には、多数の回転するローラや紙幣を案内するガイド等が適宜配置されており、紙幣の短手方向を進行方向として、主に前後方向に沿って搬送させるような直線状の搬送路が形成されている。また搬送部１５内には、複数の切替部２４Ａ、２４Ｂ、２４Ｃ、２４Ｄ、２４Ｅ、２４Ｆ及び２４Ｇ（以下ではまとめて切替部２４とも呼ぶ）が配置されている。各切替部２４は、図中三角形で示すブレード及びその周囲に配置された複数のローラにより構成されている。各ローラは、紙幣の搬送路を挟んで互いに対向するように配置されている。
【００２１】
この切替部２４は、紙幣制御部１２の制御に従い、各紙幣の搬送先に応じてブレードの傾斜方向を変化させると共に各ローラを所定の回転方向へ回転させることにより、紙幣の搬送方向を偽券庫１８、紙幣収納庫２０、リジェクト庫１９、一時保留部１７及び入出金部１４へ適宜切り替えて所望の搬送先へ搬送する。
【００２２】
搬送部１５は、ほぼ前後方向に沿う搬送路である直線搬送部１５ａと、切替部２４Ｂ、２４Ｄ、２４Ｅ、２４Ｆ及び２４Ｇを介し、当該直線搬送部１５ａと紙幣収納庫２０Ａ、２０Ｂ、２０Ｃ、２０Ｄ及び２０Ｅとを接続する収納庫切替搬送部１５ｂとを有している。
【００２３】
収納庫切替搬送部１５ｂには、収納庫搬送路ローラ群２６が設けられている。収納庫搬送路ローラ群２６は、切替部２４Ｂ、２４Ｄ、２４Ｅ、２４Ｆ及び２４Ｇの下方における収納庫切替搬送部１５ｂの前側に位置する上側前方ローラ２６ＵＦと、当該上側前方ローラ２６ＵＦと収納庫切替搬送部１５ｂを挟んで対向する上側後方ローラ２６ＵＢとからなる１組のローラと、上側前方ローラ２６ＵＦの下方における収納庫切替搬送部１５ｂの前側に位置する下側前方ローラ２６ＤＦと、当該下側前方ローラ２６ＤＦと収納庫切替搬送部１５ｂを挟んで対向する下側後方ローラ２６ＤＢとからなる１組のローラとにより構成されている。
【００２４】
切替部２４Ｂ、２４Ｄ、２４Ｅ、２４Ｆ及び２４Ｇは、直線搬送部１５ａと収納庫切替搬送部１５ｂとの接続箇所に設けられ、後方から前方へ向かう紙幣の搬送経路を、直線搬送部１５ａ又は収納庫切替搬送部１５ｂに切り替える。
【００２５】
鑑別部１６は、上部ブロック１０Ｕ内における前端であって入出金部１４の下に隣接する位置に設けられ、内部に複数種類のセンサが組み込まれており、搬送される紙幣の金種、真偽、正損（損傷しているか否か）、及び搬送状態を認識し、その鑑別結果を紙幣制御部１２へ送出する。また鑑別部１６は、紙幣に付された記番号を識別し、その識別結果を紙幣制御部１２へ送出する。
【００２６】
一時保留部１７は、上部ブロック１０Ｕ内における前後方向のほぼ中央部であって搬送部１５の上に隣接する位置に設けられ、円筒形状のドラムの周側面に紙幣をテープと共に巻き付けることで当該紙幣を収納し、またこの周側面から当該テープを引き剥がすことで紙幣を繰り出すようになっている。
【００２７】
偽券庫１８は、上部ブロック１０Ｕ内における後端近傍であって、搬送部１５の上に隣接する位置に設けられており、内部に紙幣を収納する空間を有している。この偽券庫１８は、鑑別部１６及び紙幣制御部１２により偽造紙幣（以下、偽券と呼ぶ）と判断された紙幣が搬送部１５により搬送されてくると、これを内部に収納する。
【００２８】
［１−２−２．下部ブロックの構成］
下部ブロック１０Ｌは、比較的厚い複数の金属板を組み合わせるようにして略箱型に形成された金庫筐体３０を有し、当該金庫筐体３０が入出金機筐体２３内に固設されている。下部ブロック１０Ｌにおける金庫筐体３０の内部には、図４に示すように、図示しないスライドレールを介して金庫筐体３０に取り付けられた下部ユニット２１Ｌが設けられている。下部ユニット２１Ｌは、金庫筐体３０に対して後方向へ引き出されるようになっている。また下部ユニット２１Ｌは、引き出された状態から金庫筐体３０に対して前方向へ移動することにより収納されるように構成されている。すなわち、下部ユニット２１Ｌは、金庫筐体３０に対して前後方向へ移動可能になっている。下部ユニット２１Ｌには、再利用すべきでない紙幣を収納するリジェクト庫１９と、再利用可能な紙幣を収納する紙幣収納庫２０（２０Ａ、２０Ｂ、２０Ｃ、２０Ｄ及び２０Ｅ）とが着脱可能に設けられている。
【００２９】
リジェクト庫１９は、下部ブロック１０Ｌ内における最も前側且つ上寄りに位置しており、上下方向に長い直方体状に形成されると共に内部に紙幣を集積して収納する空間を有している。因みにリジェクト庫１９は、上下方向の長さが下部ブロック１０Ｌの半分程度となっている。このリジェクト庫１９は、鑑別部１６及び紙幣制御部１２により損傷の程度が大きく再利用すべきで無いと判断された紙幣が搬送部１５により搬送されて来ると、当該紙幣を内部に収納する。
【００３０】
下部ブロック１０Ｌ内におけるリジェクト庫１９の後方には、前側から後側へ向けて順に紙幣収納庫２０Ａ、２０Ｂ、２０Ｃ、２０Ｄ及び２０Ｅが設けられている。各紙幣収納庫２０（２０Ａ、２０Ｂ、２０Ｃ、２０Ｄ及び２０Ｅ）は、何れも同様に構成されており、上下方向に長い直方体状に形成されると共に内部に紙幣を集積して収納する空間を有している。各紙幣収納庫２０は、それぞれ収納すべき紙幣の金種が予め設定されている。この紙幣収納庫２０は、鑑別部１６及び紙幣制御部１２により損傷の程度が小さく再利用が可能であると判断された紙幣が、その金種に応じて搬送部１５により搬送されてくると、当該紙幣を内部に集積して収納する。また紙幣収納庫２０は、紙幣制御部１２から紙幣を繰り出す指示を受け付けると、集積している紙幣を１枚ずつに分離して繰り出し、搬送部１５に受け渡す。
【００３１】
ここで、上部ユニット２１Ｕにおける前側上部の一部分である可動フレーム３２は、入出金部１４と、鑑別部１６における搬送路の上部分と、切替部２４Ｂの一部分とを内部に格納したまま、上部ユニット２１Ｕの搬送部１５の前端部に設けられた支点シャフト３４を中心に回動可能に構成され、上部ユニット２１Ｕ内部を外部に対し露出又は遮蔽させる。この可動フレーム３２は、取引動作時には閉塞されることにより可動フレーム閉鎖状態となり、現金自動取引装置１に収納している紙幣を保護する。一方可動フレーム３２は、上部ブロック１０Ｕの保守作業時には図４に示すように、上部ユニット２１Ｕが入出金機筐体２３から後方へ引き出された状態で、当該可動フレーム３２が支点シャフト３４を軸として開放されることにより可動フレーム開放状態となり、内部の各部に対する作業を容易に行わせ得る。
【００３２】
かかる構成において現金自動取引装置１は、鑑別部１６による紙幣の鑑別結果及び識別結果等をもとに主制御部９及び紙幣制御部１２が各部を制御して、紙幣の入金処理及び出金処理等を行う。
【００３３】
すなわち現金自動取引装置１は、入金取引時、顧客により操作表示部６を介して入金取引が選択され、さらに入出金口５から紙幣が投入されると、投入された紙幣を入出金部１４から１枚ずつ鑑別部１６に搬送する。ここで現金自動取引装置１は、鑑別部１６の鑑別結果及び識別結果に基づき入金可能と判定された入金受入紙幣については一時保留部１７に搬送して一時的に収納する。一方で現金自動取引装置１は、入金に適さないと判定された入金リジェクト紙幣については、搬送部１５に貯留する。やがて現金自動取引装置１は、入出金部１４の収容器２２から全ての紙幣を取り込み終えると、搬送部１５に貯留している入金リジェクト紙幣を入出金部１４へ戻して、シャッタ１１を開くことで顧客に返却する。その後顧客により入金金額が確定されると、現金自動取引装置１は、一時保留部１７に収納している入金受入紙幣のうち収納可能と判定された再利用可能な紙幣については、その金種に応じて各紙幣収納庫２０へ搬送して保管する。一方で現金自動取引装置１は、損傷の程度が大きいリジェクト紙幣についてはリジェクト庫１９へ、偽券については偽券庫１８へそれぞれ搬送して収納する。
【００３４】
一方出金取引時、現金自動取引装置１は、顧客により操作表示部６を介して出金取引が選択され出金金額が入力されると、要求金額に応じて必要な金種毎の紙幣枚数を認識し、この金種毎の紙幣枚数に応じて各紙幣収納庫２０から紙幣を繰り出して鑑別部１６に搬送して鑑別結果及び記番号の識別結果を得る。ここで現金自動取引装置１は、鑑別部１６の鑑別結果及び識別結果に基づき出金可能と判定された出金可能紙幣については入出金部１４に搬送する。一方で現金自動取引装置１は、出金に適さないと判定された出金リジェクト紙幣についてはリジェクト庫１９に搬送して収納する。そして要求金額分の紙幣が入出金部１４へ集積されると、現金自動取引装置１は、シャッタ１１を開ける。これにより入出金部１４内に集積されている紙幣の受け取りが可能な状態となり、顧客がこの紙幣を受け取る。
【００３５】
［１−３．切替部の構成］
図５及び図６に示すように、切替部２４Ｂは、いわゆるＹ字状分岐搬送路であり、中心に位置するブレード３８と、当該ブレード３８の上側、前側及び下側にそれぞれ位置するローラ４６（上側前方ローラ４６ＵＦ、上側後方ローラ４６ＵＢ、前側上方ローラ４６ＦＵ、前側下方ローラ４６ＦＤ、下側前方ローラ４６ＤＦ及び下側後方ローラ４６ＤＢ）と、直線搬送路４０（前側直線搬送路４０Ｆ及び後側直線搬送路４０Ｂ）と、屈曲搬送路４２とにより構成されている。これらのブレード３８と複数のローラ４６とは、図示しないアクチュエータから駆動力が伝達されることにより駆動される。
【００３６】
上側ガイド４４Ｕは、ブレード３８の上方において前後方向に延設しており、紙幣の紙面と対向する平面状のガイド面が形成されている。下側ガイド４４Ｄは、ブレード３８の後方から前後方向に延設し、当該ブレード３８の後端部近傍において前方下側に向かって屈曲してからブレード３８の下方において前方下側に向かって延設しており、紙幣の紙面と対向する平面状のガイド面が形成されている。前側ガイド４４Ｆは、Ｕ字形状であり、ブレード３８の前方において、上側ガイド４４Ｕのガイド面と紙幣の厚み方向に沿う方向である搬送路厚方向に所定の間隔を空けて対向するガイド面と、当該ガイド面と一体に成型され下側ガイド４４Ｄのガイド面と所定の搬送路厚を空けて対向するガイド面とが形成されている。
【００３７】
この上側ガイド４４Ｕの前部分のガイド面と、前側ガイド４４Ｆにおいて上側ガイド４４Ｕと対向するガイド面との間に、直線搬送部１５ａの一部であり前後方向に延設された前側直線搬送路４０Ｆが形成されている。また上側ガイド４４Ｕの後部分のガイド面と、下側ガイド４４Ｄにおいて上側ガイド４４Ｕと対向するガイド面との間に、直線搬送部１５ａの一部であり前後方向に延設された後側直線搬送路４０Ｂが形成されている。以下では前側直線搬送路４０Ｆ及び後側直線搬送路４０Ｂをまとめて直線搬送路４０とも呼ぶ。この前側直線搬送路４０Ｆ及び後側直線搬送路４０Ｂは、入出金部１４から一時保留部１７につながる搬送路の一部を含むものである。また下側ガイド４４Ｄのガイド面と、前側ガイド４４Ｆにおいて下側ガイド４４Ｄと対向するガイド面と、下側ガイド４４Ｄにおいて上側ガイド４４Ｕと対向するガイド面との間に、収納庫切替搬送部１５ｂの一部であり後側直線搬送路４０Ｂから前方下側に屈曲して延設された屈曲搬送路４２が形成されている。
【００３８】
上側ガイド４４Ｕには、上側前方ローラ４６ＵＦ及び上側後方ローラ４６ＵＢが、中心軸を左右方向に、すなわち紙幣の搬送方向と直交する搬送幅方向に向けるよう、回転可能に取り付けられている。また上側前方ローラ４６ＵＦ及び上側後方ローラ４６ＵＢは、上側ガイド４４Ｕに対しガイド面に穿設された孔部からその外周面の一部を直線搬送路４０側に露出させている。
【００３９】
前側ガイド４４Ｆには、前側上方ローラ４６ＦＵ及び前側下方ローラ４６ＦＤが、中心軸を搬送幅方向に向けるよう、回転可能に取り付けられている。また前側上方ローラ４６ＦＵは、前側ガイド４４Ｆに対しガイド面に穿設された孔部からその外周面の一部を直線搬送路４０側に露出させている。前側下方ローラ４６ＦＤは、前側ガイド４４Ｆに対しガイド面に穿設された孔部からその外周面の一部を屈曲搬送路４２側に露出させている。
【００４０】
下側ガイド４４Ｄには、下側前方ローラ４６ＤＦ及び下側後方ローラ４６ＤＢが、中心軸を搬送幅方向に向けるよう、回転可能に取り付けられている。また下側前方ローラ４６ＤＦは、下側ガイド４４Ｄに対しガイド面に穿設された孔部からその外周面の一部を屈曲搬送路４２側に露出させている。下側後方ローラ４６ＤＢは、下側ガイド４４Ｄに対しガイド面に穿設された孔部からその外周面の一部を直線搬送路４０側及び屈曲搬送路４２側に露出させている。
【００４１】
上側前方ローラ４６ＵＦ、上側後方ローラ４６ＵＢ、前側上方ローラ４６ＦＵ及び下側後方ローラ４６ＤＢは、上側前方ローラ４６ＵＦと前側上方ローラ４６ＦＵとの接点と、上側後方ローラ４６ＵＢと下側後方ローラ４６ＤＢとの接点との間隔、すなわち上側前方ローラ４６ＵＦ及び前側上方ローラ４６ＦＵと上側後方ローラ４６ＵＢ及び下側後方ローラ４６ＤＢとのローラピッチが、紙幣の搬送方向（短手方向）の長さよりも短く、且つブレード３８の長手方向の長さ、すなわちブレード３８において紙幣をガイドするガイド面の搬送方向に沿った長さよりも長くなるよう配置されている。前側下方ローラ４６ＦＤ、下側前方ローラ４６ＤＦ、上側後方ローラ４６ＵＢ及び下側後方ローラ４６ＤＢは、前側下方ローラ４６ＦＤ及び下側前方ローラ４６ＤＦと上側後方ローラ４６ＵＢ及び下側後方ローラ４６ＤＢとのローラピッチが、紙幣の搬送方向の長さよりも短く、且つブレード３８のガイド面の搬送方向の長さよりも長くなるよう配置されている。
【００４２】
ブレード３８は、側面視で楔形に形成され左右方向に所定の間隔を隔てて、回動自在に支持され搬送幅方向に伸びるブレードシャフト３９に櫛歯状に固定された複数の板部により構成される。ブレード３８は、回動して傾斜角度を変化させることで紙幣の搬送方向を直線搬送路４０か屈曲搬送路４２かの２通りに切り替える、いわゆる２ウェイブレードとなっている。上側ガイド４４Ｕ及び下側ガイド４４Ｄには、ブレード３８の後端部が入り込む孔部が穿設されている。また前側上方ローラ４６ＦＵ、上側後方ローラ４６ＵＢ、前側下方ローラ４６ＦＤ及び下側後方ローラ４６ＤＢにおいてブレード３８と対向する箇所には、ブレード３８が入り込む溝部が形成されている。
【００４３】
具体的に切替部２４Ｂは、ブレード３８の後端が上側ガイド４４Ｕのガイド面よりも上方に位置するよう当該ブレード３８を回動させることにより、直線搬送部１５ａを経て後側直線搬送路４０Ｂから前方へ搬送された紙幣の搬送経路を屈曲搬送路４２へ切り替え当該紙幣を収納庫切替搬送部１５ｂへ搬送させると共に、収納庫切替搬送部１５ｂを経て屈曲搬送路４２から後方上側へ搬送された紙幣の搬送経路を後側直線搬送路４０Ｂへ切り替え当該紙幣を直線搬送部１５ａへ搬送させる。一方切替部２４Ｂは、ブレード３８の後端が下側ガイド４４Ｄのガイド面よりも下方に位置するよう当該ブレード３８を回動させることにより、直線搬送部１５ａを経て後側直線搬送路４０Ｂから前方へ搬送された紙幣の搬送経路を、前側直線搬送路４０Ｆへ切り替え当該紙幣を直線搬送部１５ａへ搬送させると共に、直線搬送部１５ａを経て前側直線搬送路４０Ｆから後方へ搬送された紙幣の搬送経路を後側直線搬送路４０Ｂへ切り替え当該紙幣を直線搬送部１５ａへ搬送させる。
【００４４】
可動フレーム３２の下側には、入出金機筐体２３の一部分であり固定された固定フレーム３６が設けられている。可動フレーム３２は、後端部が固定フレーム３６から離隔するように上方向へ回動し可動フレーム開放状態となる。可動フレーム３２は、下端面がほぼ水平方向に沿って形成されており、可動フレーム３２から固定フレーム３６に向かって突出するシャフト支持フレーム部４８にブレードシャフト３９が回動可能に取り付けられている。固定フレーム３６の上端面においてシャフト支持フレーム部４８と対向する箇所は、可動フレーム３２から離隔する方向に向かって当該シャフト支持フレーム部４８が嵌り込む形状にシャフト支持フレーム嵌込部４９が凹設されている。
【００４５】
このためブレード３８は可動フレーム３２側に取り付けられており、可動フレーム開放状態においては、当該可動フレーム３２に追従して、固定フレーム３６から離隔する上側へ移動する。また上側ガイド４４Ｕと下側ガイド４４Ｄ及び前側ガイド４４Ｆとは、可動フレーム開放状態において搬送路を開放させるため、それぞれ可動フレーム３２と固定フレーム３６とに分かれて配置されている。
【００４６】
［１−４．動作及び効果］
以上の構成において、可動フレーム閉鎖状態から可動フレーム開放状態へ移行すると、ブレード３８は、可動フレーム３２側に取り付けられているため、図７に示すように当該可動フレーム３２に追従して固定フレーム３６から離隔する上側へ移動する。可動フレーム閉鎖状態から可動フレーム開放状態へ移行すると、前側直線搬送路４０Ｆ及び後側直線搬送路４０Ｂは、可動フレーム閉鎖状態よりも搬送路厚が大きくなる方向へ開放され、一方、屈曲搬送路４２は、可動フレーム閉鎖状態に対し搬送路厚が変化しない。
【００４７】
すなわち切替部２４Ｂは、可動フレーム閉鎖状態から可動フレーム開放状態へ移行する際に搬送路厚が変化しない搬送路である屈曲搬送路４２が形成されている固定フレーム３６側ではなく、搬送路厚が広がる搬送路である直線搬送路４０が形成されている可動フレーム３２側にブレード３８を設けるようにした。換言すれば切替部２４Ｂは、可動フレーム閉鎖状態から可動フレーム開放状態へ移行する際に搬送路厚が広がる直線搬送路４０を形成するガイド面を有する上側ガイド４４Ｕが設けられた可動フレーム３２にブレード３８を設けるようにした。
【００４８】
このため切替部２４Ｂは、可動フレーム閉鎖状態から可動フレーム開放状態へ移行する際に搬送路厚が変化しない屈曲搬送路４２を外部に開放させ、当該屈曲搬送路４２近傍に詰まった紙幣を取り出しやすくさせることができる。
【００４９】
また切替部２４は、換言すれば、可動フレーム閉鎖状態から可動フレーム開放状態へ移行する際、２個のローラとして上側前方ローラ４６ＵＦ及び上側後方ローラ４６ＵＢが設けられた可動フレーム３２と共に、４個のローラとして前側上方ローラ４６ＦＵ、前側下方ローラ４６ＦＤ、下側前方ローラ４６ＤＦ及び下側後方ローラ４６ＤＢが設けられた固定フレーム３６から離隔する方向へ、ブレード３８を移動させるようにした。すなわち切替部２４は、４個のローラが設けられた固定フレーム３６よりも少ない個数である２個のローラが設けられた可動フレーム３２と共にブレード３８を固定フレーム３６に対し移動させるようにした。
【００５０】
図２０及び図２１に示すように、従来の切替部１２４Ｂにおいては、固定フレーム１３６にブレードシャフト３９が回動可能に取り付けられている。このため、ブレード３８は固定フレーム１３６側に取り付けられており、可動フレーム開放状態においては、可動フレーム１３２に追従せず、固定フレーム１３６に残ることとなる。この従来の切替部１２４Ｂにおいては、上側ガイド４４Ｕとブレード３８の上側面との間の空間である空間ＳＰ１は、可動フレーム開放状態においては外部に開放される。このため保守員は、空間ＳＰ１に詰まった紙幣を容易に除去することができる。しかしながら従来の切替部１２４Ｂにおいては、下側ガイド４４Ｄと前側ガイド４４Ｆとブレード３８の下側面との間の空間である空間ＳＰ２は、可動フレーム開放状態においては外部に開放されない。このため、空間ＳＰ２に詰まった紙幣を保守員が除去することは困難となってしまう。
【００５１】
このため従来の切替部１２４Ｂにおいては、空間ＳＰ２に紙幣が詰まると、行員は、下部ユニット２１Ｌを入出金機筐体２３から引き出して屈曲搬送路４２の下側から紙幣にアクセスしなければ、当該紙幣が除去できない場合があった。ここで、一般的に、紙幣が多数収納される紙幣収納庫２０が格納される下部ユニット２１Ｌは、セキュリティのレベルが搬送部１５よりも高く設定されているため、行員等、特定の権限を有する者しか取り扱うことができないように設定されている。このため、従来の切替部１２４Ｂの空間ＳＰ２に紙幣が詰まると、一般的な保守員ではなく、下部ユニット２１Ｌを取り扱う権限を有する行員が紙幣除去作業を行う必要があり、効率的な運用ができなかった。また、運用上の効率を保つために、従来の切替部１２４Ｂにおいて、下部ユニット２１Ｌを取り扱う権限を有しない保守員が下部ユニット２１Ｌを入出金機筐体２３から引き出して屈曲搬送路４２の下側から紙幣にアクセスして当該紙幣を除去すると、セキュリティが保てなくなってしまった。
【００５２】
これに対し切替部２４Ｂにおいては、可動フレーム開放状態においてブレード３８が可動フレーム３２と共に空間ＳＰ２から離隔するため、空間ＳＰ２がブレード３８によって隠されてしまうことなく外部に開放される。このため保守員は、空間ＳＰ２に詰まった紙幣を容易に除去することができる。
【００５３】
また切替部２４Ｂにおいては、空間ＳＰ２に紙幣が詰まった場合、保守員は、下部ユニット２１Ｌを入出金機筐体２３から引き出すことなく、屈曲搬送路４２の上側から紙幣にアクセスして当該紙幣を除去することができる。このため、現金自動取引装置１は、空間ＳＰ２に紙幣が詰まった場合に、下部ユニット２１Ｌを取り扱う権限を有する行員に紙幣除去作業を行わせる必要もなく、また、下部ユニット２１Ｌを取り扱う権限を有しない保守員に下部ユニット２１Ｌを扱わせることなく、空間ＳＰ２に詰まった紙幣を除去させることができ、運用上の効率を保つと共に、セキュリティを保つことができる。
【００５４】
また切替部２４Ｂは、上側前方ローラ４６ＵＦ及び前側上方ローラ４６ＦＵと、上側後方ローラ４６ＵＢ及び下側後方ローラ４６ＤＢとのローラピッチ、すなわち紙幣の搬送方向の進行方向側に位置する１組のローラと、進行方向の逆側に位置する１組のローラとのローラピッチを、紙幣の搬送方向の長さよりも短く設定することにより、紙幣を安定的に搬送するようにしている。
【００５５】
このため、切替部２４Ｂにおいて空間ＳＰ１に紙幣が詰まったとしても、当該紙幣は、前端又は後端の何れか一方がブレード３８の前端よりも前方か、又は後端よりも後方に露出することになる。このため保守員は、空間ＳＰ１に詰まった紙幣を、当該紙幣の前端又は後端を摘んで空間ＳＰ１から引き出すことにより、容易に除去することができる。
【００５６】
さらに現金自動取引装置１は、可動フレーム開放状態において、入出金部１４から切替部２４Ｃの上流側近傍までに亘る範囲の搬送路を含む可動フレーム３２を、支点シャフト３４を軸にして回動させることにより、直線搬送路４０を開放させるようにした。これにより現金自動取引装置１は、従来の切替部１２４Ｂにおける空間ＳＰ２（図２１）だけでなく、入出金部１４から鑑別部１６を介し切替部２４Ｃの上流側近傍までに亘る広い範囲の搬送路を一度に開放でき、搬送路に詰まった紙幣の除去等の保守作業を保守員に容易に行わせることができる。
【００５７】
以上の構成によれば、切替部２４Ｂは、紙葉状の媒体としての紙幣を搬送する複数の搬送路である前側直線搬送路４０Ｆ、後側直線搬送路４０Ｂ及び屈曲搬送路４２と、複数の搬送路のうちオープン状態としての可動フレーム開放状態において開放される開放搬送路としての前側直線搬送路４０Ｆ及び後側直線搬送路４０Ｂが形成され紙幣をガイドする上側ガイド４４Ｕと、複数の搬送路のうち可動フレーム開放状態において開放されない非開放搬送路としての屈曲搬送路４２が形成され紙幣をガイドする下側ガイド４４Ｄ及び前側ガイド４４Ｆと、前側直線搬送路４０Ｆ、後側直線搬送路４０Ｂ及び屈曲搬送路４２の分岐部において、上側ガイド４４Ｕ側に設けられ、紙幣の搬送方向を前側直線搬送路４０Ｆ又は屈曲搬送路４２へ切り替えるブレード３８とを設け、上側ガイド４４Ｕと下側ガイド４４Ｄ及び前側ガイド４４Ｆとは互いに離隔可能に構成され、上側ガイド４４Ｕと下側ガイド４４Ｄ及び前側ガイド４４Ｆとが離隔して可動フレーム開放状態になった際、ブレード３８が屈曲搬送路４２から離隔するようにした。これにより切替部２４Ｂは、屈曲搬送路４２とブレード３８との間に詰まった紙幣を取り出させやすくすることができる。
【００５８】
［２．第２の実施の形態］
［２−１．切替部の構成］
図８に示すように、第２の実施の形態による切替部５０は、いわゆるＴ字状分岐搬送路であり、中心に位置するブレード５２と、当該ブレード５２の前側、上側及び下側にそれぞれ位置するローラ５４（前側上方ローラ５４ＦＵ、前側下方ローラ５４ＦＤ、上側前方ローラ５４ＵＦ、上側後方ローラ５４ＵＢ、下側前方ローラ５４ＤＦ及び下側後方ローラ５４ＤＢ）と、上側搬送路５６Ｕと、下側搬送路５６Ｄと、後側搬送路５６Ｂとにより構成されている。これらのブレード５２と複数のローラ５４とは、図示しないアクチュエータから駆動力が伝達されることにより駆動される。この切替部５０は、例えば、紙幣入出金機１０（図２）における切替部２４Ａに適用される。
【００５９】
前側ガイド６０Ｆは、ブレード５２の前方において上下方向に延設しており、紙幣の紙面と対向する平面状のガイド面が形成されている。上側ガイド６０Ｕは、ブレード５２の後方から上方にかけてブレード５２に向かって湾曲して延設しており、紙幣の紙面と対向する平面状のガイド面が形成されている。下側ガイド６０Ｄは、ブレード５２の後方から下方にかけてブレード５２に向かって湾曲して延設しており、紙幣の紙面と対向する平面状のガイド面が形成されている。
【００６０】
この前側ガイド６０Ｆの上部分のガイド面と、上側ガイド６０Ｕにおいて前側ガイド６０Ｆと対向するガイド面との間に、上下方向に延設された上側搬送路５６Ｕが形成されている。また前側ガイド６０Ｆの下部分のガイド面と、下側ガイド６０Ｄにおいて前側ガイド６０Ｆと対向するガイド面との間に、上下方向に延設された下側搬送路５６Ｄが形成されている。また上側ガイド６０Ｕのガイド面と、下側ガイド６０Ｄにおいて上側ガイド６０Ｕと対向するガイド面との間に、前後方向に延設された後側搬送路５６Ｂが形成されている。
【００６１】
前側ガイド６０Ｆには、前側上方ローラ５４ＦＵ及び前側下方ローラ５４ＦＤが、中心軸を搬送幅方向に向けるよう、回転可能に取り付けられている。また前側上方ローラ５４ＦＵ及び前側下方ローラ５４ＦＤは、前側ガイド６０Ｆに対しガイド面に穿設された孔部からその外周面の一部をそれぞれ上側搬送路５６Ｕ側及び下側搬送路５６Ｄ側に露出させている。
【００６２】
上側ガイド６０Ｕには、上側前方ローラ５４ＵＦ及び上側後方ローラ５４ＵＢが、中心軸を搬送幅方向に向けるよう、回転可能に取り付けられている。また上側前方ローラ５４ＵＦ及び上側後方ローラ５４ＵＢは、上側ガイド６０Ｕに対しガイド面に穿設された孔部からその外周面の一部をそれぞれ上側搬送路５６Ｕ側及び後側搬送路５８側に露出させている。
【００６３】
下側ガイド６０Ｄには、下側前方ローラ５４ＤＦ及び下側後方ローラ５４ＤＢが、中心軸を搬送幅方向に向けるよう、回転可能に取り付けられている。また下側前方ローラ５４ＤＦ及び下側後方ローラ５４ＤＢは、下側ガイド６０Ｄに対しガイド面に穿設された孔部からその外周面の一部をそれぞれ下側搬送路５６Ｄ側及び後側搬送路５８側に露出させている。
【００６４】
前側上方ローラ５４ＦＵ、上側前方ローラ５４ＵＦ、上側後方ローラ５４ＵＢ及び下側後方ローラ５４ＤＢは、前側上方ローラ５４ＦＵ及び上側前方ローラ５４ＵＦと上側後方ローラ５４ＵＢ及び下側後方ローラ５４ＤＢとのローラピッチが、紙幣の搬送方向の長さよりも短く、且つブレード５２のガイド面の搬送方向の長さよりも長くなるよう配置されている。前側下方ローラ５４ＦＤ、下側前方ローラ５４ＤＦ、上側後方ローラ５４ＵＢ及び下側後方ローラ５４ＤＢは、前側下方ローラ５４ＦＤ及び下側前方ローラ５４ＤＦと上側後方ローラ５４ＵＢ及び下側後方ローラ５４ＤＢとのローラピッチが、紙幣の搬送方向の長さよりも短く、且つブレード５２のガイド面の搬送方向の長さよりも長くなるよう配置されている。
【００６５】
ブレード５２は、側面視でＴ字形に形成され左右方向に所定の間隔を隔てて、回動自在に支持され搬送幅方向に伸びるブレードシャフト５３に櫛歯状に固定された複数の板部により構成される。ブレード５２は、回動して傾斜角度を変化させることで紙幣の搬送方向を上側搬送路５６Ｕか下側搬送路５６Ｄかの２通りに切り替える、いわゆる２ウェイブレードとなっている。上側ガイド６０Ｕ及び下側ガイド６０Ｄには、ブレード５２の後端部が入り込む孔部が穿設されている。また前側上方ローラ５４ＦＵ、前側下方ローラ５４ＦＤ、上側後方ローラ５４ＵＢ及び下側後方ローラ５４ＤＢにおいてブレード５２と対向する箇所には、ブレード５２が入り込む溝部が形成されている。
【００６６】
具体的に切替部５０は、ブレード５２の後端が上側ガイド６０Ｕのガイド面よりも上方に位置するよう当該ブレード５２を回動させることにより、後側搬送路５６Ｂから前方へ搬送された紙幣の搬送経路を下側搬送路５６Ｄへ切り替えると共に、下側搬送路５６Ｄから上方へ搬送された紙幣の搬送経路を後側搬送路５６Ｂへ切り替える。一方切替部５０は、ブレード５２の後端が下側ガイド６０Ｄのガイド面よりも下方に位置するよう当該ブレード５２を回動させることにより、後側搬送路５６Ｂから前方へ搬送された紙幣の搬送経路を上側搬送路５６Ｕへ切り替えると共に、上側搬送路５６Ｕから下方へ搬送された紙幣の搬送経路を後側搬送路５６Ｂへ切り替える。
【００６７】
可動フレーム６２は、上側搬送路５６Ｕ及び下側搬送路５６Ｄの前側に位置しており、上側搬送路５６Ｕ及び下側搬送路５６Ｄの後側において固定された固定フレーム６４に対し、上端部が固定フレーム６４から離隔するように前方向へ回動し可動フレーム開放状態となる。ブレード５２は、可動フレーム６２から固定フレーム６４に向かって突出するシャフト支持フレーム部（図示せず）にブレードシャフト５３が回動可能に取り付けられている。このためブレード５２は可動フレーム６２側に取り付けられており、可動フレーム開放状態においては、当該可動フレーム６２に追従して、固定フレーム６４から離隔する前側へ移動する。
【００６８】
［２−２．動作及び効果］
以上の構成において、可動フレーム閉鎖状態から可動フレーム開放状態へ移行すると、ブレード５２は、可動フレーム６２側に取り付けられているため、図９に示すように当該可動フレーム６２に追従して固定フレーム６４から離隔する前側へ移動する。可動フレーム閉鎖状態から可動フレーム開放状態へ移行すると、上側搬送路５６Ｕ及び下側搬送路５６Ｄは、可動フレーム閉鎖状態よりも搬送路厚が大きくなる方向へ開放され、一方、後側搬送路５６Ｂは、可動フレーム閉鎖状態に対し搬送路厚が変化しない。
【００６９】
すなわち切替部５０は、可動フレーム閉鎖状態から可動フレーム開放状態へ移行する際に搬送路厚が変化しない搬送路である後側搬送路５６Ｂが形成されている固定フレーム６４側ではなく、搬送路厚が広がる搬送路である上側搬送路５６Ｕ及び下側搬送路５６Ｄが形成されている可動フレーム６２側にブレード５２を設けるようにした。換言すれば切替部５０は、可動フレーム閉鎖状態から可動フレーム開放状態へ移行する際に搬送路厚が広がる上側搬送路５６Ｕ及び下側搬送路５６Ｄを形成するガイド面を有する前側ガイド６０Ｆが設けられた可動フレーム６２にブレード５２を設けるようにした。
【００７０】
このため切替部５０は、可動フレーム閉鎖状態から可動フレーム開放状態へ移行する際に搬送路厚が変化しない後側搬送路５６Ｂを外部に開放させ、当該後側搬送路５６Ｂ近傍に詰まった紙幣を取り出しやすくさせることができる。
【００７１】
また切替部５０は、換言すれば、可動フレーム閉鎖状態から可動フレーム開放状態へ移行する際、２個のローラとして前側上方ローラ５４ＦＵ及び前側下方ローラ５４ＦＤが設けられた可動フレーム６２と共に、４個のローラとして上側前方ローラ５４ＵＦ、上側後方ローラ５４ＵＢ、下側前方ローラ５４ＤＦ及び下側後方ローラ５４ＤＢが設けられた固定フレーム６４から離隔する方向へ、ブレード５２を移動させるようにした。すなわち切替部５０は、４個のローラが設けられた固定フレーム６４よりも少ない個数である２個のローラが設けられた可動フレーム６２と共にブレード５２を固定フレーム６４に対し移動させるようにした。
【００７２】
図２２に示すように、従来の切替部１５０においては、固定フレーム１６４にブレードシャフト５３が回動可能に取り付けられている。このため、ブレード５２は固定フレーム１６４側に取り付けられており、可動フレーム開放状態においては、可動フレーム１６２に追従せず、固定フレーム１６４に残ることとなる。この従来の切替部１５０においては、上側ガイド６０Ｕと下側ガイド６０Ｄとブレード５２との間の空間である空間ＳＰ１１は、可動フレーム開放状態においては外部に開放されない。このため、空間ＳＰ１１に詰まった紙幣を保守員が除去することは困難となってしまう。
【００７３】
これに対し切替部５０においては、可動フレーム開放状態においてブレード５２が可動フレーム６２と共に空間ＳＰ１１から離隔するため、空間ＳＰ１１がブレード５２によって隠されることなく外部に開放される。このため保守員は、空間ＳＰ１１に詰まった紙幣を容易に除去することができる。
【００７４】
以上の構成によれば、切替部５０は、紙幣を搬送する複数の搬送路である上側搬送路５６Ｕ、下側搬送路５６Ｄ及び後側搬送路５６Ｂと、複数の搬送路のうち可動フレーム開放状態において開放される開放搬送路としての上側搬送路５６Ｕ及び下側搬送路５６Ｄが形成され紙幣をガイドする前側ガイド６０Ｆと、複数の搬送路のうち可動フレーム開放状態において開放されない非開放搬送路としての後側搬送路５６Ｂが形成され紙幣をガイドする上側ガイド６０Ｕ及び下側ガイド６０Ｄと、上側搬送路５６Ｕ、下側搬送路５６Ｄ及び後側搬送路５６Ｂの分岐部において、前側ガイド６０Ｆ側に設けられ、紙幣の搬送方向を上側搬送路５６Ｕ又は下側搬送路５６Ｄの何れかへ切り替えるブレード５２とを設け、前側ガイド６０Ｆと上側ガイド６０Ｕ及び下側ガイド６０Ｄとは互いに離隔可能に構成され、前側ガイド６０Ｆと上側ガイド６０Ｕ及び下側ガイド６０Ｄとが離隔して可動フレーム開放状態になった際、ブレード５２が後側搬送路５６Ｂから離隔するようにした。これにより切替部５０は、後側搬送路５６Ｂとブレード５２との間に詰まった紙幣を取り出させやすくすることができる。
【００７５】
その他の第２の実施の形態における切替部５０は、第１の実施の形態における切替部２４Ｂとほぼ同様の作用効果を奏する。
【００７６】
［３．第３の実施の形態］
［３−１．切替部の構成］
図１０乃至図１２に示すように、第３の実施の形態による切替部６６は、互いに１２０度角度をずらした搬送路を有するいわゆる三叉路状分岐搬送路であり、中心に位置するブレード６８と、当該ブレード６８の上側、下側及び後側にそれぞれ位置するローラ７０（上側前方ローラ７０ＵＦ、上側後方ローラ７０ＵＢ、下側前方ローラ７０ＤＦ及び下側後方ローラ７０ＤＢ、後側上方ローラ７０ＢＵ及び後側下方ローラ７０ＢＤ）と、上前搬送路７２（上側搬送路７５及び前側搬送路７７）と、下前搬送路７３（下側搬送路７６及び前側搬送路７７）と、上下搬送路７４（上側搬送路７５及び下側搬送路７６）とにより構成されている。これらのブレード６８と複数のローラ７０とは、図示しないアクチュエータから駆動力が伝達されることにより駆動される。この切替部６６は、例えば、紙幣入出金機１０（図２）における切替部２４Ｃに適用される。
【００７７】
上側ガイド７８Ｕは、ブレード６８の前方から上方にかけてブレード６８に向かって湾曲して延設しており、紙幣の紙面と対向する平面状のガイド面が形成されている。下側ガイド７８Ｄは、ブレード６８の前方から下方にかけてブレード６８に向かって湾曲して延設しており、紙幣の紙面と対向する平面状のガイド面が形成されている。後側ガイド７８Ｂは、ブレード６８の上方から下方にかけてブレード６８に向かって湾曲して延設しており、紙幣の紙面と対向する平面状のガイド面が形成されている。
【００７８】
この上側ガイド７８Ｕの前部分のガイド面と、下側ガイド７８Ｄにおいて上側ガイド７８Ｕと対向するガイド面との間に、前後方向に延設された前側搬送路７７が形成されている。また下側ガイド７８Ｄの後部分のガイド面と、後側ガイド７８Ｂにおいて下側ガイド７８Ｄと対向するガイド面との間に、上下方向に延設された下側搬送路７６が形成されている。後側ガイド７８Ｂの上部分のガイド面と、上側ガイド７８Ｕにおいて後側ガイド７８Ｂと対向するガイド面との間に、上下方向に延設された上側搬送路７５が形成されている。以下では下側搬送路７６及び前側搬送路７７をまとめて下前搬送路７３とも呼び、上側搬送路７５及び前側搬送路７７をまとめて上前搬送路７２とも呼び、上側搬送路７５及び下側搬送路７６をまとめて上下搬送路７４とも呼ぶ。
【００７９】
上側ガイド７８Ｕには、上側前方ローラ７０ＵＦ及び上側後方ローラ７０ＵＢが、中心軸を搬送幅方向に向けるよう、回転可能に取り付けられている。また上側前方ローラ７０ＵＦ及び上側後方ローラ７０ＵＢは、上側ガイド７８Ｕに対しガイド面に穿設された孔部からその外周面の一部をそれぞれ前側搬送路７７側及び上側搬送路７５側に露出させている。
【００８０】
下側ガイド７８Ｄには、下側前方ローラ７０ＤＦ及び下側後方ローラ７０ＤＢが、中心軸を搬送幅方向に向けるよう、回転可能に取り付けられている。また下側前方ローラ７０ＤＦ及び下側後方ローラ７０ＤＢは、下側ガイド７８Ｄに対しガイド面に穿設された孔部からその外周面の一部をそれぞれ前側搬送路７７側及び下側搬送路７６側に露出させている。
【００８１】
後側ガイド７８Ｂには、後側上方ローラ７０ＢＵ及び後側下方ローラ７０ＢＤが、中心軸を搬送幅方向に向けるよう、回転可能に取り付けられている。また後側上方ローラ７０ＢＵ及び後側下方ローラ７０ＢＤは、後側ガイド７８Ｂに対しガイド面に穿設された孔部からその外周面の一部をそれぞれ上側搬送路７５側及び下側搬送路７６側に露出させている。
【００８２】
上側前方ローラ７０ＵＦ、下側前方ローラ７０ＤＦ、後側下方ローラ７０ＢＤ及び下側後方ローラ７０ＤＢは、上側前方ローラ７０ＵＦ及び下側前方ローラ７０ＤＦと後側下方ローラ７０ＢＤ及び下側後方ローラ７０ＤＢとのローラピッチが、紙幣の搬送方向の長さよりも短く、且つブレード６８のガイド面の搬送方向の長さよりも長くなるよう配置されている。上側前方ローラ７０ＵＦ、下側前方ローラ７０ＤＦ、上側後方ローラ７０ＵＢ及び後側上方ローラ７０ＢＵは、上側前方ローラ７０ＵＦ及び下側前方ローラ７０ＤＦと上側後方ローラ７０ＵＢ及び後側上方ローラ７０ＢＵとのローラピッチが、紙幣の搬送方向の長さよりも短く、且つブレード６８のガイド面の搬送方向の長さよりも長くなるよう配置されている。上側後方ローラ７０ＵＢ、後側上方ローラ７０ＢＵ、後側下方ローラ７０ＢＤ及び下側後方ローラ７０ＤＢは、上側後方ローラ７０ＵＢ及び後側上方ローラ７０ＢＵと後側下方ローラ７０ＢＤ及び下側後方ローラ７０ＤＢとのローラピッチが、紙幣の搬送方向の長さよりも短く、且つブレード６８のガイド面の搬送方向の長さよりも長くなるよう配置されている。
【００８３】
ブレード６８は、側面視で楔形に形成され左右方向に所定の間隔を隔てて、回転自在に支持され搬送幅方向に伸びるブレードシャフト６９に櫛歯状に固定された複数の板部により構成される。ブレード６８は、３６０度回転して傾斜角度を変化させることで紙幣の搬送方向を上側搬送路７５か下側搬送路７６か前側搬送路７７かの３通りに切り替える、いわゆる３ウェイブレードとなっている。上側ガイド７８Ｕ、下側ガイド７８Ｄ及び後側ガイド７８Ｂには、ブレード６８の先端部が入り込む孔部が穿設されている。ローラ７０においてブレード６８と対向する箇所には、ブレード６８が入り込む溝部が形成されている。
【００８４】
具体的に切替部６６は、図１０に示すように、ブレード６８の先端が下側ガイド７８Ｄのガイド面よりも前方に位置するよう当該ブレード６８を回転させることにより、下側搬送路７６から上方へ搬送された紙幣の搬送経路を上側搬送路７５へ切り替えると共に、上側搬送路７５から下方へ搬送された紙幣の搬送経路を下側搬送路７６へ切り替える。一方切替部６６は、ブレード６８の先端が後側ガイド７８Ｂのガイド面よりも後方に位置するよう当該ブレード６８を回転させることにより、下側搬送路７６から上方へ搬送された紙幣の搬送経路を前側搬送路７７へ切り替えると共に、前側搬送路７７から後方へ搬送された紙幣の搬送経路を下側搬送路７６へ切り替える。
【００８５】
また切替部６６は、図１１に示すように、ブレード６８の先端が上側ガイド７８Ｕのガイド面よりも前方に位置するよう当該ブレード６８を回転させることにより、上側搬送路７５から下方へ搬送された紙幣の搬送経路を下側搬送路７６へ切り替えると共に、下側搬送路７６から上方へ搬送された紙幣の搬送経路を上側搬送路７５へ切り替える。一方切替部６６は、ブレード６８の先端が後側ガイド７８Ｂのガイド面よりも後側に位置するよう当該ブレード６８を回転させることにより、上側搬送路７５から下方へ搬送された紙幣の搬送経路を前側搬送路７７へ切り替えると共に、前側搬送路７７から後方へ搬送された紙幣の搬送経路を上側搬送路７５へ切り替える。
【００８６】
また切替部６６は、図１２に示すように、ブレード６８の先端が上側ガイド７８Ｕのガイド面よりも上方に位置するよう当該ブレード６８を回転させることにより、前側搬送路７７から後方へ搬送された紙幣の搬送経路を下側搬送路７６へ切り替えると共に、下側搬送路７６から上方へ搬送された紙幣の搬送経路を前側搬送路７７へ切り替える。一方切替部６６は、ブレード６８の先端が下側ガイド７８Ｄのガイド面よりも下方に位置するよう当該ブレード６８を回転させることにより、前側搬送路７７から後方へ搬送された紙幣の搬送経路を上側搬送路７５へ切り替えると共に、上側搬送路７５から下方へ搬送された紙幣の搬送経路を前側搬送路７７へ切り替える。
【００８７】
可動フレーム８０は、上前搬送路７２の上側に位置しており、下前搬送路７３の下側及び上下搬送路７４の後側において固定された固定フレーム８２に対し、前端部が固定フレーム８２から離隔するように上方向へ回動し可動フレーム開放状態となる。ブレード６８は、可動フレーム８０から固定フレーム８２に向かって突出するシャフト支持フレーム部（図示せず）にブレードシャフト６９が回転可能に取り付けられている。このためブレード６８は、可動フレーム８０側に取り付けられており、可動フレーム開放状態においては、当該可動フレーム８０に追従して、固定フレーム８２から離隔する上側へ移動する。
【００８８】
［３−２．動作及び効果］
以上の構成において、可動フレーム閉鎖状態から可動フレーム開放状態へ移行すると、ブレード６８は、可動フレーム８０側に取り付けられているため、図１３に示すように当該可動フレーム８０に追従して固定フレーム８２から離隔する上側へ移動する。可動フレーム閉鎖状態から可動フレーム開放状態へ移行すると、上側搬送路７５及び前側搬送路７７は、可動フレーム閉鎖状態よりも搬送路厚が大きくなる方向へ開放され、一方、下側搬送路７６は、可動フレーム閉鎖状態に対し搬送路厚が変化しない。
【００８９】
すなわち切替部６６は、可動フレーム閉鎖状態から可動フレーム開放状態へ移行する際に搬送路厚が変化しない搬送路である下側搬送路７６が形成されている固定フレーム８２側ではなく、搬送路厚が広がる搬送路である上側搬送路７５及び前側搬送路７７が形成されている可動フレーム８０側にブレード６８を設けるようにした。換言すれば切替部６６は、可動フレーム閉鎖状態から可動フレーム開放状態へ移行する際に搬送路厚が広がる上前搬送路７２を形成するガイド面を有する上側ガイド７８Ｕが設けられた可動フレーム８０にブレード６８を設けるようにした。
【００９０】
このため切替部６６は、可動フレーム閉鎖状態から可動フレーム開放状態へ移行する際に搬送路厚が変化しない下側搬送路７６を外部に開放させ、当該下側搬送路７６近傍に詰まった紙幣を取り出しやすくさせることができる。
【００９１】
また切替部６６は、換言すれば、可動フレーム閉鎖状態から可動フレーム開放状態へ移行する際、２個のローラとして上側前方ローラ７０ＵＦ及び上側後方ローラ７０ＵＢが設けられた可動フレーム８０と共に、４個のローラとして下側前方ローラ７０ＤＦ、下側後方ローラ７０ＤＢ、後側上方ローラ７０ＢＵ及び後側下方ローラ７０ＢＤが設けられた固定フレーム８２から離隔する方向へ、ブレード６８を移動させるようにした。すなわち切替部６６は、４個のローラが設けられた固定フレーム８２よりも少ない個数である２個のローラが設けられた可動フレーム８０と共にブレード６８を固定フレーム８２に対し移動させるようにした。
【００９２】
図２３に示すように、従来の切替部１６６においては、固定フレーム１８２にブレードシャフト６９が回動可能に取り付けられている。このため、ブレード６８は固定フレーム１８２側に取り付けられており、可動フレーム開放状態においては、可動フレーム１８０に追従せず、固定フレーム１８２に残ることとなる。この従来の切替部１５０においては、下側ガイド７８Ｄと後側ガイド７８Ｂとブレード６８との間の空間である空間ＳＰ２１は、可動フレーム開放状態においては外部に開放されない。このため、空間ＳＰ２１に詰まった紙幣を保守員が除去することは困難となってしまう。
【００９３】
これに対し切替部６６においては、可動フレーム開放状態においてブレード６８が可動フレーム８０と共に空間ＳＰ２１から離隔するため、空間ＳＰ２１がブレード６８によって隠されることなく外部に開放される。このため保守員は、空間ＳＰ２１に詰まった紙幣を容易に除去することができる。
【００９４】
以上の構成によれば、切替部６６は、紙幣を搬送する複数の搬送路である上側搬送路７５、下側搬送路７６及び前側搬送路７７と、複数の搬送路のうち可動フレーム開放状態において開放される開放搬送路としての上側搬送路７５及び前側搬送路７７が形成され紙幣をガイドする上側ガイド７８Ｕと、複数の搬送路のうち可動フレーム開放状態において開放されない非開放搬送路としての下側搬送路７６が形成され紙幣をガイドする下側ガイド７８Ｄ及び後側ガイド７８Ｂと、上側搬送路７５、下側搬送路７６及び前側搬送路７７の分岐部において、上側ガイド７８Ｕ側に設けられ、紙幣の搬送方向を上側搬送路７５、下側搬送路７６又は前側搬送路７７の何れかへ切り替えるブレード６８とを設け、上側ガイド７８Ｕと下側ガイド７８Ｄ及び後側ガイド７８Ｂとは互いに離隔可能に構成され、上側ガイド７８Ｕと下側ガイド７８Ｄ及び後側ガイド７８Ｂとが離隔して可動フレーム開放状態になった際、ブレード６８が下側搬送路７６から離隔するようにした。これにより切替部６６は、下側搬送路７６とブレード６８との間に詰まった紙幣を取り出させやすくすることができる。
【００９５】
その他の第３の実施の形態における切替部６６は、第１の実施の形態における切替部２４Ｂとほぼ同様の作用効果を奏する。
【００９６】
［４．第４の実施の形態］
［４−１．切替部の構成］
図１４乃至図１６に示すように、第４の実施の形態による切替部８６は、第３の実施の形態による切替部６６と比べて、下側前方ローラ７０ＤＦ、下側後方ローラ７０ＤＢ及び下側ガイド７８Ｄに替えてドラム８８が設けられている点が相違するものの、それ以外は同様に構成されている。切替部８６は、中心に位置するブレード６８と、当該ブレード６８の上側、後側及び下側にそれぞれ位置するローラ７０（上側前方ローラ７０ＵＦ、上側後方ローラ７０ＵＢ、後側上方ローラ７０ＢＵ及び後側下方ローラ７０ＢＤ）及びドラム８８と、上前搬送路７２（上側搬送路７５及び前側搬送路７７）と、下前搬送路７３（下側搬送路７６及び前側搬送路７７）と、上下搬送路７４（上側搬送路７５及び下側搬送路７６）とにより構成されている。これらのブレード６８と複数の７０ローラとドラム８８とは、図示しないアクチュエータから駆動力が伝達されることにより駆動される。
【００９７】
ドラム８８は、ローラ７０よりも大きい外径の円筒形状であり、中心軸を搬送幅方向に向けるよう、後側ガイド７８Ｂ及び上側ガイド７８Ｕの下側において回転可能に固定フレーム９２に取り付けられている。このドラム８８は、ブレード６８の前方から下方にかけてブレード６８に向かって湾曲して延設しており、紙幣の紙面と対向する平面状のガイド面が外周面に形成されている。またドラム８８は、ガイド面が上側前方ローラ７０ＵＦ及び後側下方ローラ７０ＢＤと当接するよう設けられている。
【００９８】
上側ガイド７８Ｕの前部分のガイド面と、ドラム８８において上側ガイド７８Ｕと対向するガイド面との間に、前後方向に延設された前側搬送路７７が形成されている。またドラム８８の後部分のガイド面と、後側ガイド７８Ｂにおいてドラム８８と対向するガイド面との間に、上下方向に延設された下側搬送路７６が形成されている。
【００９９】
上側前方ローラ７０ＵＦ、後側下方ローラ７０ＢＤ及びドラム８８は、上側前方ローラ７０ＵＦ及びドラム８８と後側下方ローラ７０ＢＤ及びドラム８８とのローラピッチが、紙幣の搬送方向の長さよりも短く、且つブレード６８のガイド面の搬送方向の長さよりも長くなるよう配置されている。上側前方ローラ７０ＵＦ、ドラム８８、上側後方ローラ７０ＵＢ及び後側上方ローラ７０ＢＵは、上側前方ローラ７０ＵＦ及びドラム８８と上側後方ローラ７０ＵＢ及び後側上方ローラ７０ＢＵとのローラピッチが、紙幣の搬送方向の長さよりも短く、且つブレード６８のガイド面の搬送方向の長さよりも長くなるよう配置されている。上側後方ローラ７０ＵＢ、後側上方ローラ７０ＢＵ、後側下方ローラ７０ＢＤ及びドラム８８は、上側後方ローラ７０ＵＢ及び後側上方ローラ７０ＢＵと後側下方ローラ７０ＢＤ及びドラム８８とのローラピッチが、紙幣の搬送方向の長さよりも短く、且つブレード６８のガイド面の搬送方向の長さよりも長くなるよう配置されている。ドラム８８においてブレード６８と対向する箇所には、ブレード６８が入り込む溝部が形成されている。
【０１００】
具体的に切替部８６は、図１４に示すように、ブレード６８の先端がドラム８８のガイド面よりも前方に位置するよう当該ブレード６８を回転させることにより、下側搬送路７６から上方へ搬送された紙幣の搬送経路を上側搬送路７５へ切り替えると共に、上側搬送路７５から下方へ搬送された紙幣の搬送経路を下側搬送路７６へ切り替える。一方切替部８６は、ブレード６８の先端が後側ガイド７８Ｂのガイド面よりも後方に位置するよう当該ブレード６８を回転させることにより、下側搬送路７６から上方へ搬送された紙幣の搬送経路を前側搬送路７７へ切り替えると共に、前側搬送路７７から後方へ搬送された紙幣の搬送経路を下側搬送路７６へ切り替える。
【０１０１】
また切替部８６は、図１５に示すように、ブレード６８の先端が上側ガイド７８Ｕのガイド面よりも前方に位置するよう当該ブレード６８を回転させることにより、上側搬送路７５から下方へ搬送された紙幣の搬送経路を下側搬送路７６へ切り替えると共に、下側搬送路７６から上方へ搬送された紙幣の搬送経路を上側搬送路７５へ切り替える。一方切替部８６は、ブレード６８の先端が後側ガイド７８Ｂのガイド面よりも後側に位置するよう当該ブレード６８を回転させることにより、上側搬送路７５から下方へ搬送された紙幣の搬送経路を前側搬送路７７へ切り替えると共に、前側搬送路７７から後方へ搬送された紙幣の搬送経路を上側搬送路７５へ切り替える。
【０１０２】
また切替部８６は、図１６に示すように、ブレード６８の先端が上側ガイド７８Ｕのガイド面よりも上方に位置するよう当該ブレード６８を回転させることにより、前側搬送路７７から後方へ搬送された紙幣の搬送経路を下側搬送路７６へ切り替えると共に、下側搬送路７６から上方へ搬送された紙幣の搬送経路を前側搬送路７７へ切り替える。一方切替部８６は、ブレード６８の先端がドラム８８のガイド面よりも下方に位置するよう当該ブレード６８を回転させることにより、前側搬送路７７から後方へ搬送された紙幣の搬送経路を上側搬送路７５へ切り替えると共に、上側搬送路７５から下方へ搬送された紙幣の搬送経路を前側搬送路７７へ切り替える。
【０１０３】
可動フレーム９０は、下前搬送路７３の上側に位置しており、下前搬送路７３の下側において固定された固定フレーム９２に対し、後端部が固定フレーム９２から離隔するように後方向へ回動し可動フレーム開放状態となる。ブレード６８は、固定フレーム９２から可動フレーム９０に向かって突出するシャフト支持フレーム部（図示せず）にブレードシャフト６９が回転可能に取り付けられている。このためブレード６８は、固定フレーム９２側に取り付けられており、可動フレーム開放状態においては、可動フレーム９０に追従して移動せず、固定フレーム９２に取り付けられたままとなる。
【０１０４】
［４−２．動作及び効果］
以上の構成において、可動フレーム閉鎖状態から可動フレーム開放状態へ移行すると、ブレード６８は、固定フレーム９２側に取り付けられているため、図１７に示すように可動フレーム９０が固定フレーム９２から離隔する上側へ移動しても、固定フレーム９２に残っている。可動フレーム閉鎖状態から可動フレーム開放状態へ移行すると、下側搬送路７６及び前側搬送路７７は、可動フレーム閉鎖状態よりも搬送路厚が大きくなる方向へ開放され、一方、上側搬送路７５は、可動フレーム閉鎖状態に対し搬送路厚が変化しない。
【０１０５】
すなわち切替部８６は、可動フレーム閉鎖状態から可動フレーム開放状態へ移行する際に搬送路厚が変化しない搬送路である上側搬送路７５が形成されている可動フレーム９０側ではなく、搬送路厚が広がる搬送路である下側搬送路７６及び前側搬送路７７が形成されている固定フレーム９２側にブレード６８を設けるようにした。換言すれば切替部８６は、可動フレーム閉鎖状態から可動フレーム開放状態へ移行する際に搬送路厚が広がる下前搬送路７３を形成するガイド面を有するドラム８８が設けられた固定フレーム９２にブレード６８を設けるようにした。
【０１０６】
このため切替部８６は、可動フレーム閉鎖状態から可動フレーム開放状態へ移行する際に搬送路厚が変化しない上側搬送路７５を外部に開放させ、当該上側搬送路７５近傍に詰まった紙幣を取り出しやすくさせることができる。
【０１０７】
また切替部８６は、換言すれば、可動フレーム閉鎖状態から可動フレーム開放状態へ移行する際、４個のローラとして上側前方ローラ７０ＵＦ、上側後方ローラ７０ＵＢ、後側上方ローラ７０ＢＵ及び後側下方ローラ７０ＢＤが設けられた可動フレーム９０を、ローラが設けられていない固定フレーム９２から離隔する方向へ移動させることにより、ブレード６８から離隔する方向へ可動フレーム９０を移動させるようにした。すなわち切替部８６は、４個のローラが設けられた可動フレーム９０よりも少ない個数である０個のローラとブレード６８とが設けられた固定フレーム９２から可動フレーム９０を離隔させるようにした。
【０１０８】
図２４に示すように、従来の切替部１８６においては、可動フレーム１９０にブレードシャフト６９が回転可能に取り付けられている。このため、ブレード６８は可動フレーム１９０側に取り付けられており、可動フレーム開放状態においては、可動フレーム１９０と共に固定フレーム１９２から離隔する。この従来の切替部１８６においては、上側ガイド７８Ｕと後側ガイド７８Ｂとブレード６８との間の空間である空間ＳＰ３１は、可動フレーム開放状態においては外部に開放されない。このため、空間ＳＰ３１に詰まった紙幣を保守員が除去することは困難となってしまう。
【０１０９】
これに対し切替部８６においては、可動フレーム開放状態において固定フレーム９２にブレード６８を残しつつ可動フレーム９０が当該固定フレーム９２から離隔することにより、結果的にブレード６８が固定フレーム９２と共に空間ＳＰ３１から離隔することになるため、空間ＳＰ３１がブレード６８によって隠されることなく外部に開放される。このため保守員は、空間ＳＰ３１に詰まった紙幣を容易に除去することができる。
【０１１０】
以上の構成によれば、切替部８６は、紙幣を搬送する複数の搬送路である上側搬送路７５、下側搬送路７６及び前側搬送路７７と、複数の搬送路のうち可動フレーム開放状態において開放される開放搬送路としての下側搬送路７６及び前側搬送路７７が形成され紙幣をガイドするドラム８８と、複数の搬送路のうち可動フレーム開放状態において開放されない非開放搬送路としての上側搬送路７５が形成され紙幣をガイドする後側ガイド７８Ｂ及び上側ガイド７８Ｕと、上側搬送路７５、下側搬送路７６及び前側搬送路７７の分岐部において、ドラム８８側に設けられ、紙幣の搬送方向を上側搬送路７５、下側搬送路７６又は前側搬送路７７の何れかへ切り替えるブレード６８とを設け、上側ガイド７８Ｕ及び後側ガイド７８Ｂとドラム８８とは互いに離隔可能に構成され、上側ガイド７８Ｕ及び後側ガイド７８Ｂとドラム８８とが離隔して可動フレーム開放状態になった際、上側搬送路７５がブレード６８から離隔するようにした。これにより切替部８６は、上側搬送路７５とブレード６８との間に詰まった紙幣を取り出させやすくすることができる。
【０１１１】
その他の第４の実施の形態における切替部８６は、第３の実施の形態における切替部６６とほぼ同様の作用効果を奏する。
【０１１２】
［５．第５の実施の形態］
［５−１．切替部の構成］
図１８に示すように、第５の実施の形態による切替部９３は、第１の実施の形態による切替部２４Ｂと比べて、可動フレーム９４及び固定フレーム９５が可動フレーム３２及び固定フレーム３６と相違するものの、それ以外は同様に構成されている。
【０１１３】
可動フレーム９４は、直線搬送路４０の上側と、直線搬送路４０と屈曲搬送路４２との間とに位置しており、屈曲搬送路４２の下側において固定された固定フレーム９５に対し、前端部が固定フレーム９８から離隔するように後方向へ回動し可動フレーム開放状態となる。ブレード３８は、固定フレーム９５から可動フレーム９４に向かって突出するシャフト支持フレーム部（図示せず）にブレードシャフト３９が回動可能に取り付けられている。このためブレード３８は、固定フレーム９５側に取り付けられており、可動フレーム開放状態においては、当該可動フレーム９４に追従して移動せず、固定フレーム９５に取り付けられたままとなる。
【０１１４】
［５−２．動作及び効果］
以上の構成において、可動フレーム閉鎖状態から可動フレーム開放状態へ移行すると、ブレード３８は、固定フレーム９５側に取り付けられているため、可動フレーム９４が固定フレーム９５から離隔する上側へ移動しても、固定フレーム９５に残っている。可動フレーム閉鎖状態から可動フレーム開放状態へ移行すると、後側直線搬送路４０Ｂ及び屈曲搬送路４２は、可動フレーム閉鎖状態よりも搬送路厚が大きくなる方向へ開放され、一方、前側直線搬送路４０Ｆは、可動フレーム閉鎖状態に対し搬送路厚が変化しない。
【０１１５】
すなわち切替部９３は、可動フレーム閉鎖状態から可動フレーム開放状態へ移行する際に搬送路厚が変化しない搬送路である前側直線搬送路４０Ｆが形成されている可動フレーム９４側ではなく、搬送路厚が広がる搬送路である後側直線搬送路４０Ｂ及び屈曲搬送路４２が形成されている固定フレーム９５側にブレード３８を設けるようにした。換言すれば切替部９３は、可動フレーム閉鎖状態から可動フレーム開放状態へ移行する際に搬送路厚が広がる後側直線搬送路４０Ｂ及び屈曲搬送路４２を形成するガイド面を有する下側ガイド４４Ｄが設けられた固定フレーム９５にブレード３８を設けるようにした。
【０１１６】
このため切替部９３は、可動フレーム閉鎖状態から可動フレーム開放状態へ移行する際に搬送路厚が変化しない前側直線搬送路４０Ｆを外部に開放させ、当該前側直線搬送路４０Ｆ近傍に詰まった紙幣を取り出しやすくさせることができる。
【０１１７】
また切替部８６は、換言すれば、可動フレーム閉鎖状態から可動フレーム開放状態へ移行する際、４個のローラとして上側前方ローラ４６ＵＦ、上側後方ローラ４６ＵＢ、前側上方ローラ４６ＦＵ及び前側下方ローラ４６ＦＤが設けられた可動フレーム９４を、２個のローラとして下側前方ローラ４６ＤＦ及び下側後方ローラ４６ＤＢが設けられた固定フレーム９５から離隔する方向へ移動させることにより、ブレード３８から離隔する方向へ可動フレーム９４を移動させるようにした。すなわち切替部９３は、４個のローラが設けられた可動フレーム９０よりも少ない個数である２個のローラとブレード３８とが設けられた固定フレーム９５から可動フレーム９４を離隔させるようにした。
【０１１８】
図２５に示すように、従来の切替部１９３においては、可動フレーム１９４にブレードシャフト３９が回動可能に取り付けられている。このため、ブレード３８は可動フレーム１９４側に取り付けられており、可動フレーム開放状態においては、可動フレーム１９４と共に固定フレーム１９５から離隔する。この従来の切替部１９３においては、上側ガイド４４Ｕとブレード３８の上側面との間の空間である空間ＳＰ４１は、可動フレーム開放状態においては外部に開放されない。このため、空間ＳＰ４１に詰まった紙幣を保守員が除去することは困難となってしまう。
【０１１９】
これに対し切替部９３においては、可動フレーム開放状態において固定フレーム９５にブレード３８を残しつつ可動フレーム９４が当該固定フレーム９５から離隔することにより、結果的にブレード６８が固定フレーム９５と共に空間ＳＰ４１から離隔することになるため、空間ＳＰ４１がブレード３８によって隠されることなく外部に開放される。このため保守員は、空間ＳＰ４１に詰まった紙幣を容易に除去することができる。
【０１２０】
また切替部９３は、前側下方ローラ４６ＦＤ及び下側前方ローラ４６ＤＦと上側後方ローラ４６ＵＢ及び下側後方ローラ４６ＤＢとのローラピッチを、紙幣の搬送方向の長さよりも短く設定している。このため、切替部９３において下側ガイド４４Ｄと前側ガイド４４Ｆとブレード３８の下側面との間の空間である空間ＳＰ４２に紙幣が詰まったとしても、当該紙幣は、前端又は後端の何れか一方がブレード３８の前端よりも前方か、又は後端よりも後方に露出することになる。このため保守員は、空間ＳＰ４２に詰まった紙幣を、当該紙幣の前端又は後端を摘んで空間ＳＰ４２から引き出すことにより、容易に除去することができる。
【０１２１】
以上の構成によれば、切替部９３は、紙幣を搬送する複数の搬送路である前側直線搬送路４０Ｆ、後側直線搬送路４０Ｂ及び屈曲搬送路４２と、複数の搬送路のうち可動フレーム開放状態において開放される開放搬送路としての後側直線搬送路４０Ｂ及び屈曲搬送路４２が形成され紙幣をガイドする下側ガイド４４Ｄと、複数の搬送路のうち可動フレーム開放状態において開放されない非開放搬送路としての前側直線搬送路４０Ｆが形成され紙幣をガイドする上側ガイド４４Ｕ及び前側ガイド４４Ｆと、前側直線搬送路４０Ｆ、後側直線搬送路４０Ｂ及び屈曲搬送路４２の分岐部において、下側ガイド４４Ｄ側に設けられ、紙幣の搬送方向を前側直線搬送路４０Ｆ又は屈曲搬送路４２へ切り替えるブレード３８とを設け、上側ガイド４４Ｕ及び前側ガイド４４Ｆと下側ガイド４４Ｄとは互いに離隔可能に構成され、上側ガイド４４Ｕ及び前側ガイド４４Ｆと下側ガイド４４Ｄとが離隔して可動フレーム開放状態になった際、ブレード３８が前側直線搬送路４０Ｆから離隔するようにした。これにより切替部９３は、前側直線搬送路４０Ｆとブレード３８との間に詰まった紙幣を取り出させやすくすることができる。
【０１２２】
［６．第６の実施の形態］
［６−１．切替部の構成］
図１９に示すように、第６の実施の形態による切替部９６は、第１の実施の形態による切替部２４Ｂと比べて、可動フレーム９７及び固定フレーム９８が可動フレーム３２及び固定フレーム３６と相違するものの、それ以外は同様に構成されている。
【０１２３】
可動フレーム９７は、直線搬送路４０と屈曲搬送路４２との間とに位置しており、直線搬送路４０の上側と屈曲搬送路４２の下側とにおいて固定された固定フレーム９８に対し、後端部が固定フレーム９８から離隔するように前方向へ回動し可動フレーム開放状態となる。ブレード３８は、可動フレーム９７から固定フレーム９８に向かって突出するシャフト支持フレーム部（図示せず）にブレードシャフト３９が回動可能に取り付けられている。このためブレード３８は、可動フレーム９７側に取り付けられており、可動フレーム開放状態においては、当該可動フレーム９７に追従して、固定フレーム９８から離隔する前側へ移動する。
【０１２４】
［６−２．動作及び効果］
以上の構成において、可動フレーム閉鎖状態から可動フレーム開放状態へ移行すると、ブレード３８は可動フレーム９７側に取り付けられているため、当該可動フレーム９７に追従して固定フレーム９８から離隔する前側へ移動する。可動フレーム閉鎖状態から可動フレーム開放状態へ移行すると、前側直線搬送路４０Ｆ及び屈曲搬送路４２は、可動フレーム閉鎖状態よりも搬送路厚が大きくなる方向へ開放され、一方、後側直線搬送路４０Ｂは、可動フレーム閉鎖状態に対し搬送路厚が変化しない。
【０１２５】
すなわち切替部９６は、可動フレーム閉鎖状態から可動フレーム開放状態へ移行する際に搬送路厚が変化しない搬送路である後側直線搬送路４０Ｂが形成されている固定フレーム９８側ではなく、搬送路厚が広がる搬送路である前側直線搬送路４０Ｆ及び屈曲搬送路４２が形成されている可動フレーム９７側にブレード３８を設けるようにした。換言すれば切替部９６は、可動フレーム閉鎖状態から可動フレーム開放状態へ移行する際に搬送路厚が広がる前側直線搬送路４０Ｆ及び屈曲搬送路４２を形成するガイド面を有する前側ガイド４４Ｆが設けられた可動フレーム９７にブレード３８を設けるようにした。
【０１２６】
このため切替部９６は、可動フレーム閉鎖状態から可動フレーム開放状態へ移行する際に搬送路厚が変化しない後側直線搬送路４０Ｂを外部に開放させ、当該後側直線搬送路４０Ｂ近傍に詰まった紙幣を取り出しやすくさせることができる。
【０１２７】
また切替部９６は、換言すれば、可動フレーム閉鎖状態から可動フレーム開放状態へ移行する際、２個のローラとして前側上方ローラ４６ＦＵ及び前側下方ローラ４６ＦＤが設けられた可動フレーム９７と共に、４個のローラとして上側前方ローラ４６ＵＦ、上側後方ローラ４６ＵＢ、下側前方ローラ４６ＤＦ及び下側後方ローラ４６ＤＢが設けられた固定フレーム９８から離隔する方向へ、ブレード３８を移動させるようにした。すなわち切替部２４は、４個のローラが設けられた固定フレーム９８よりも少ない個数である２個のローラが設けられた可動フレーム９７と共にブレード３８を固定フレーム９８に対し移動させるようにした。
【０１２８】
図２６に示すように、従来の切替部１９６においては、固定フレーム１９８にブレードシャフト３９が回動可能に取り付けられている。このため、ブレード３８は固定フレーム１９８側に取り付けられており、可動フレーム開放状態においては、可動フレーム１９７に追従せず、固定フレーム１９８に残ることとなる。この従来の切替部１９６においては、上側ガイド４４Ｕと下側ガイド４４Ｄとブレード３８との間の空間である空間ＳＰ５１は、可動フレーム開放状態においては外部に開放されない。このため、空間ＳＰ５１に詰まった紙幣を保守員が除去することは困難となってしまう。
【０１２９】
これに対し切替部９６においては、可動フレーム開放状態においてブレード３８が可動フレーム９７と共に空間ＳＰ５１から離隔するため、空間ＳＰ５１がブレード３８によって隠されることなく外部に開放される。このため保守員は、空間ＳＰ５１に詰まった紙幣を容易に除去することができる。
【０１３０】
以上の構成によれば、切替部９６は、紙幣を搬送する複数の搬送路である前側直線搬送路４０Ｆ、後側直線搬送路４０Ｂ及び屈曲搬送路４２と、複数の搬送路のうち可動フレーム開放状態において開放される開放搬送路としての前側直線搬送路４０Ｆ及び屈曲搬送路４２が形成され紙幣をガイドする前側ガイド４４Ｆと、複数の搬送路のうち可動フレーム開放状態において開放されない非開放搬送路としての後側直線搬送路４０Ｂが形成され紙幣をガイドする上側ガイド４４Ｕ及び下側ガイド４４Ｄと、前側直線搬送路４０Ｆ、後側直線搬送路４０Ｂ及び屈曲搬送路４２の分岐部において、前側ガイド４４Ｆ側に設けられ、紙幣の搬送方向を前側直線搬送路４０Ｆ又は屈曲搬送路４２へ切り替えるブレード３８とを設け、前側ガイド４４Ｆと上側ガイド４４Ｕ及び下側ガイド４４Ｄとは互いに離隔可能に構成され、前側ガイド４４Ｆと上側ガイド４４Ｕ及び下側ガイド４４Ｄとが離隔して可動フレーム開放状態になった際、ブレード３８が後側直線搬送路４０Ｂから離隔するようにした。これにより切替部９６は、後側直線搬送路４０Ｂとブレード３８との間に詰まった紙幣を取り出させやすくすることができる。
【０１３１】
［７．他の実施の形態］
なお上述した第１の実施の形態においては、可動フレーム３２のシャフト支持フレーム部４８にブレードシャフト３９を回動可能に取り付けることにより、可動フレーム３２側にブレード３８を設ける場合について述べた。本発明はこれに限らず、可動フレーム閉鎖状態から可動フレーム開放状態へ移行する際に固定フレーム３６から離隔するよう可動フレーム３２と同期して動作する種々の機構にブレード３８を設けても良い。第２、第３及び第６の実施の形態においても同様である。
【０１３２】
また上述した第５の実施の形態においては、固定フレーム９５のシャフト支持フレーム部（図示せず）にブレードシャフト３９を回動可能に取り付けることにより、固定フレーム９５側にブレード３８を設ける場合について述べた。本発明はこれに限らず、可動フレーム閉鎖状態から可動フレーム開放状態へ移行する際に可動フレーム３２に追従せず、固定フレーム３６に残るよう動作する種々の機構にブレード３８を設けても良い。第４の実施の形態においても同様である。
【０１３３】
さらに上述した実施の形態においては、回転する一対のローラにより挟持された紙幣の搬送先を切り替える切替部に本発明を適用する場合について述べた。本発明はこれに限らず、紙幣の搬送方向に沿って設けられた一対のプーリに張架された無端ベルトにより搬送された紙幣の搬送先を切り替える切替部に本発明を適用しても良い。
【０１３４】
さらに上述した第１の実施の形態においては、ブレード３８を、側面視で楔形に形成する場合について述べた。本発明はこれに限らず、紙幣の搬送経路を切り替えることができる種々の形状であって良い。第２乃至第６の実施の形態においても同様である。
【０１３５】
さらに上述した実施の形態においては、現金を取引する現金自動取引装置１において、媒体としての紙幣を搬送する場合に本発明を適用する場合について述べた。本発明はこれに限らず、例えば商品券や金券、入場券等のような薄い紙状の媒体を搬送する種々の装置に本発明を適用しても良い。また、例えば紙幣を入出する紙幣入出金機や紙幣を所定枚数毎に施封する施封小束支払機等、紙幣や硬貨の取引に関する種々の処理を行う複数種類の装置の組み合わせにより構成された現金処理装置に本発明を適用してもよい。
【０１３６】
さらに上述した第１の実施の形態においては、搬送路としての前側直線搬送路４０Ｆ、後側直線搬送路４０Ｂ及び屈曲搬送路４２と、搬送路開放ガイドとしての上側ガイド４４Ｕと、搬送路非開放ガイドとしての下側ガイド４４Ｄ及び前側ガイド４４Ｆと、切替器としてのブレード３８とによって、媒体搬送機構としての切替部２４Ｂを構成する場合について述べた。本発明はこれに限らず、その他種々の構成でなる搬送路と、搬送路開放ガイドと、搬送路非開放ガイドと、切替器とによって、媒体搬送機構を構成しても良い。
【０１３７】
さらに上述した第１の実施の形態においては、入出部としての入出金部１４と、搬送路としての前側直線搬送路４０Ｆ、後側直線搬送路４０Ｂ及び屈曲搬送路４２と、搬送路開放ガイドとしての上側ガイド４４Ｕと、搬送路非開放ガイドとしての下側ガイド４４Ｄ及び前側ガイド４４Ｆと、切替器としてのブレード３８とによって、媒体搬送機構としての切替部２４Ｂを構成する場合について述べた。本発明はこれに限らず、その他種々の構成でなる入出部と、搬送路と、搬送路開放ガイドと、搬送路非開放ガイドと、切替器とによって、媒体取引装置を構成しても良い。
【産業上の利用可能性】
【０１３８】
本発明は、搬送路における媒体の搬送先を切り替える種々の装置でも利用できる。
【符号の説明】
【０１３９】
１……現金自動取引装置、２……筐体、３……接客部、４……カード入出口、５……入出金口、６……操作表示部、７……テンキー、８……レシート発行口、９……主制御部、１０……紙幣入出金機、１０Ｕ……上部ブロック、１０Ｌ……下部ブロック、１１……シャッタ、１２……紙幣制御部、１３……記憶部、１４……入出金部、１５……搬送部、１５ａ……直線搬送部、１５ｂ……収納庫切替搬送部、１６……鑑別部、１７……一時保留部、１８……偽券庫、１９……リジェクト庫、２０……紙幣収納庫、２１Ｕ……上部ユニット、２１Ｌ……下部ユニット、２２……収容器、２３……入出金機筐体、２４、５０、６６、８６、９３、９６、１５０、１６６、１８６、１９３、１９６……切替部、２６……収納庫搬送路ローラ群、２８ＵＦ……上側前方ローラ、２６ＵＢ……上側後方ローラ、２６ＤＦ……下側前方ローラ、２６ＤＢ……下側後方ローラ、３０……金庫筐体、３２、６２、８０、９０、９４、９７、１３２、１６２、１８０、１９０、１９４、１９７……可動フレーム、３６、６４、８２、９２、９５、９８、１３６、１６４、１８２、１９２、１９５、１９８……固定フレーム、３４……支点シャフト、３８、５２、６８……ブレード、３９、５３、６９……ブレードシャフト、４０Ｆ……前側直線搬送路、４０Ｂ……後側直線搬送路、４０……直線搬送路、４２……屈曲搬送路、４４Ｕ……上側ガイド、４４Ｄ……下側ガイド、４４Ｆ……前側ガイド、４６ＵＦ……上側前方ローラ、４６ＵＢ……上側後方ローラ、４６ＦＵ……前側上方ローラ、４６ＦＤ……前側下方ローラ、４６ＤＦ……下側前方ローラ、４６ＤＢ……下側後方ローラ、４８……シャフト支持フレーム部、４９……シャフト支持フレーム嵌込部、ＳＰ１、ＳＰ２、ＳＰ１１、ＳＰ２１、ＳＰ３１、ＳＰ４１、ＳＰ４２、ＳＰ５１……空間、５４ＦＵ……前側上方ローラ、５４ＦＤ……前側下方ローラ、５４ＵＦ……上側前方ローラ、５４ＵＢ……上側後方ローラ、５４ＤＦ……下側前方ローラ、５４ＤＢ……下側後方ローラ、５６Ｕ……上側搬送路、５６Ｄ……下側搬送路、５６Ｂ……後側搬送路、６０Ｆ……前側ガイド、６０Ｕ……上側ガイド、６０Ｄ……下側ガイド、７０ＵＦ……上側前方ローラ、７０ＵＢ……上側後方ローラ、７０ＤＦ……下側前方ローラ、７０ＤＢ……下側後方ローラ、７０ＢＵ……後側上方ローラ、７０ＢＤ……後側下方ローラ、７２……上前搬送路、７３……下前搬送路、７４……上下搬送路、７５……上側搬送路、７６……下側搬送路、７７……前側搬送路、７８Ｂ……後側ガイド、７８Ｕ……上側ガイド、７８Ｄ……下側ガイド、８８……ドラム。
【図１】
0006413688.tif 000002
【図２】
0006413688.tif 000003
【図３】
0006413688.tif 000004
【図４】
0006413688.tif 000005
【図５】
0006413688.tif 000006
【図６】
0006413688.tif 000007
【図７】
0006413688.tif 000008
【図８】
0006413688.tif 000009
【図９】
0006413688.tif 000010
【図１０】
0006413688.tif 000011
【図１１】
0006413688.tif 000012
【図１２】
0006413688.tif 000013
【図１３】
0006413688.tif 000014
【図１４】
0006413688.tif 000015
【図１５】
0006413688.tif 000016
【図１６】
0006413688.tif 000017
【図１７】
0006413688.tif 000018
【図１８】
0006413688.tif 000019
【図１９】
0006413688.tif 000020
【図２０】
0006413688.tif 000021
【図２１】
0006413688.tif 000022
【図２２】
0006413688.tif 000023
【図２３】
0006413688.tif 000024
【図２４】
0006413688.tif 000025
【図２５】
0006413688.tif 000026
【図２６】
0006413688.tif 000027